(57)【要約】      （修正有）【課題】収納カセットの着脱の煩雑性を緩和する。【解決手段】紙幣を収納する複数の収納カセット２２と、前記複数の収納カセットのうちの少なくとも１つの第１の収納カセットを支持する第１の支持部２８Ａと、前記複数の収納カセットのうちの他の少なくとも１つの第２の収納カセットを支持する第２の支持部２８Ｂと、前記第１の支持部の移動経路を構成する第１のガイド部２５Ａと、前記第２の支持部の移動経路を構成する第２のガイド部２５Ｂと、を備える、自動取引装置。【選択図】図２
2018092433.tif 000002
【特許請求の範囲】
【請求項１】
紙幣を収納する複数の収納カセットと、
前記複数の収納カセットのうちの少なくとも１つの第１の収納カセットを支持する第１の支持部と、
前記複数の収納カセットのうちの他の少なくとも１つの第２の収納カセットを支持する第２の支持部と、
前記第１の支持部の移動経路を構成する第１のガイド部と、
前記第２の支持部の移動経路を構成する第２のガイド部と、
を備える、自動取引装置。
【請求項２】
前記自動取引装置は、
前記第１の収納カセットと接続される第１の搬送路と、
前記第２の収納カセットと接続される第２の搬送路と、
前記第１の搬送路と前記第２の搬送路を接続する第３の搬送路と、
をさらに備える、請求項１に記載の自動取引装置。
【請求項３】
前記第１の支持部は、前記第３の搬送路を構成する搬送路接続部をさらに支持する、請求項２に記載の自動取引装置。
【請求項４】
前記自動取引装置は、前記第１の収納カセットと接続される第１の搬送路を備え、
前記第１の収納カセットは、紙幣の収納空間、および前記第１の搬送路と前記第２の収納カセットを接続する第４の搬送路を有する、請求項１に記載の自動取引装置。
【請求項５】
前記第１のガイド部と前記第２のガイド部は、第１の方向上で離隔して配置され、前記第１の方向と交差する第２の方向に沿う移動経路を構成する、請求項１〜４のいずれか一項に記載の自動取引装置。
【請求項６】
前記第１の支持部および前記第２の支持部は、前記第２の方向に沿って、前記自動取引装置が動作可能となるセット位置と、引出し位置との間で移動する、請求項５に記載の自動取引装置。
【請求項７】
前記第１の支持部および前記第２の支持部が前記セット位置にある状態において、前記第１の支持部は、前記第２の支持部に対して前記第２の方向上で突出する部分を有し、前記第１の支持部は、前記突出する部分において、他の第１の収納カセットよりも高い第１の収納カセットを支持する、請求項６に記載の自動取引装置。
【請求項８】
前記第１の支持部および前記第２の支持部は同一の構造に形成される、請求項１〜６のいずれか一項に記載の自動取引装置。
【発明の詳細な説明】
【技術分野】
【０００１】
本発明は、自動取引装置に関する。
【背景技術】
【０００２】
現金の入金および出金を行う自動取引装置が広く普及している。例えば、特許文献１には、自動取引装置として、複数の収納カセットを保持する装填部を備える紙幣入出金機が開示されており、当該紙幣入出金機においては、装填部をスライドレールに沿って引き出すことが可能である。また、特許文献２には、紙幣貯蔵部を構成するスロットに、垂直方向に複数の収納カセットが配置された紙幣入出金機が開示されている。特許文献２に記載の紙幣入出金機によれば、紙幣入出金機のサイズを大きくせずに、紙幣入出金機が取扱いできる紙幣の種類を増加させることが可能である。
【先行技術文献】
【特許文献】
【０００３】
【特許文献１】特開２０１６−２８９７７号公報
【特許文献２】特開２０１４−６８８４号公報
【発明の概要】
【発明が解決しようとする課題】
【０００４】
しかし、特許文献２に記載の紙幣入出金機では、収納カセットの着脱が煩雑であるという問題があった。例えば、特許文献２に記載の紙幣入出金機では、スロットに複数の収納カセットが積層されるので、下側に位置する収納カセットの着脱は、上側に位置する収納カセットの着脱を伴ってしまう。
【０００５】
そこで、本発明は、上記問題に鑑みてなされたものであり、本発明の目的とするところは、収納カセットの着脱の煩雑性を緩和することが可能な、新規かつ改良された自動取引装置を提供することにある。
【課題を解決するための手段】
【０００６】
上記課題を解決するために、本発明のある観点によれば、紙幣を収納する複数の収納カセットと、前記複数の収納カセットのうちの少なくとも１つの第１の収納カセットを支持する第１の支持部と、前記複数の収納カセットのうちの他の少なくとも１つの第２の収納カセットを支持する第２の支持部と、前記第１の支持部の移動経路を構成する第１のガイド部と、前記第２の支持部の移動経路を構成する第２のガイド部と、を備える、自動取引装置が提供される。
【０００７】
前記自動取引装置は、前記第１の収納カセットと接続される第１の搬送路と、前記第２の収納カセットと接続される第２の搬送路と、前記第１の搬送路と前記第２の搬送路を接続する第３の搬送路と、をさらに備えてもよい。
【０００８】
前記第１の支持部は、前記第３の搬送路を構成する搬送路接続部をさらに支持してもよい。
【０００９】
前記自動取引装置は、前記第１の収納カセットと接続される第１の搬送路を備え、前記第１の収納カセットは、紙幣の収納空間、および前記第１の搬送路と前記第２の収納カセットを接続する第４の搬送路を有してもよい。
【００１０】
前記第１のガイド部と前記第２のガイド部は、第１の方向上で離隔して配置され、前記第１の方向と交差する第２の方向に沿う移動経路を構成してもよい。
【００１１】
前記第１の支持部および前記第２の支持部は、前記第２の方向に沿って、前記自動取引装置が動作可能となるセット位置と、引出し位置との間で移動してもよい。
【００１２】
前記第１の支持部および前記第２の支持部が前記セット位置にある状態において、前記第１の支持部は、前記第２の支持部に対して前記第２の方向上で突出する部分を有し、前記第１の支持部は、前記突出する部分において、他の第１の収納カセットよりも高い第１の収納カセットを支持してもよい。
【００１３】
前記第１の支持部および前記第２の支持部は同一の構造に形成されてもよい。
【発明の効果】
【００１４】
以上説明したように本発明によれば、収納カセットの着脱の煩雑性を緩和することが可能である。
【図面の簡単な説明】
【００１５】
【図１】本発明の第１の実施形態による自動取引装置の構成を示す説明図である。
【図２】紙幣収納部の構成を示す説明図である。
【図３】可動ユニットの移動を示す説明図である。
【図４】出金動作を示す説明図である。
【図５】収納動作を示す説明図である。
【図６】可動ユニットの構成を示す外観斜視図である。
【図７】装填部の構成を示す外観斜視図である。
【図８】収納カセットの外観斜視図である。
【図９】各方向から見た収納カセットの構成を示す外観図である。
【図１０】第２の実施形態による自動取引装置の構成を示す説明図である。
【図１１】収納カセットの構成を示す説明図である。
【図１２】第３の実施形態による自動取引装置の構成を示す説明図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
＜１．第１の実施形態＞
（１−１．自動取引装置の構成）
まず、本発明の第１の実施形態を説明する。図１は、本発明の第１の実施形態による自動取引装置１０の構成を示す説明図である。図１に示したように、自動取引装置１０は、紙幣処理部１２と、紙幣収納部１３と、を備える。紙幣処理部１２は、偽券収納庫１１、入出金部１６、搬送部１７、鑑別部１８および一時保留部１９を有する。なお、本明細書において特定される前後左右などの方向は、入出金部１６の前に立つ操作者の視点での方向である。
【００１８】
入出金部１６は、箱状の収容器１６Ａを内部に有している。収容器１６Ａは、利用者へ受け渡すべき紙幣又は利用者から受け渡される紙幣を収容する。また入出金部１６は、収容器１６Ａの上側を開閉するシャッタや、収容器１６Ａ内に収容されている紙幣を１枚ずつに分離して搬送部１７に受け渡す分離部（図示せず）も有している。
【００１９】
搬送部１７は、図示しないモータ、ローラ、ベルト及びガイド等により構成される。この搬送部１７においては、ローラの回転によりベルトが走行し、ベルトの走行により紙幣が搬送される。
【００２０】
鑑別部１８は、内部に光学センサ、イメージセンサや磁気センサ等の各種センサを有している。鑑別部１８は、この各種センサから得られた検出結果を基に、紙幣の金種を判別し、紙幣が正当な紙幣又は偽造された紙幣（いわゆる偽券）の何れであるかを判別し、さらに損傷の程度等を判別し、その結果を鑑別結果として図示しない制御部へ通知する。制御部は、得られた鑑別結果を基に各紙幣の搬送先を決定する。
【００２１】
一時保留部１９は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。偽券収納庫１１は、鑑別部１８において偽券と判別された紙幣を収納する。
【００２２】
紙幣収納部１３は、紙幣を収納する複数の収納カセットを有し、紙幣処理部１２から搬送された紙幣を収納する機能、および紙幣処理部１２へ紙幣を送り出す機能を有する。ここで、自動取引装置１０が取扱い可能な金種の数は、紙幣収納部１３に設けられる収納カセットの数に依存する。本実施形態による自動取引装置１０は、紙幣収納部１３に設けられる収納カセットの数を増やすことにより、取扱い可能な金種の数を増やすことが可能である。このため、本実施形態による自動取引装置１０を金種の数が多い国でも利用することができる。以下、このような紙幣収納部１３の構成をより具体的に説明する。
【００２３】
（１−２．紙幣収納部の構成）
図２は、紙幣収納部１３の構成を示す説明図である。図２に示したように、紙幣収納部１３は、可動ユニット２０Ａおよび可動ユニット２０Ｂを有する。可動ユニット２０Ａは紙幣収納部１３の上段に設けられ、可動ユニット２０Ｂは紙幣収納部１３の下段に設けられる。
【００２４】
可動ユニット２０Ａは、図２に示したように、複数の収納カセット２２と、搬送路カセット２３と、スライドレール２５Ａと、蓋体部２７Ａと、装填部２８Ａと、を備える。可動ユニット２０Ｂは、複数の収納カセット２２と、スライドレール２５Ｂと、蓋体部２７Ｂと、装填部２８Ｂと、を備える。
【００２５】
装填部２８Ａ（第１の支持部）には、複数の収納カセット２２および搬送路カセット２３が装填され、装填部２８Ａは、装填された複数の収納カセット２２および搬送路カセット２３を支持する。装填部２８Ｂ（第２の支持部）にも、同様に複数の収納カセット２２が装填され、装填部２８Ｂは、装填された複数の収納カセット２２を支持する。
【００２６】
蓋体部２７Ａは、装填部２８Ａの上面側に設けられ、内部に搬送路２１−１（第１の搬送路）を有する。搬送路２１−１は、装填部２８Ａに装填される各収納カセット２２および搬送路カセット２３に接続される。蓋体部２７Ｂも、同様に装填部２８Ｂの上面側に設けられ、内部に搬送路２１−２（第２の搬送路）を有する。搬送路２１−２は、装填部２８Ｂに装填される各収納カセット２２に接続される。
【００２７】
スライドレール２５Ａおよびスライドレール２５Ｂは、自動取引装置１０の筐体に、前後方向に沿って伸縮可能に設けられている。スライドレール２５Ａは装填部２８Ａと係合し、装填部２８Ａの移動経路を構成する第１のガイド部である。スライドレール２５Ｂは装填部２８Ｂと係合し、装填部２８Ｂの移動経路を構成する第２のガイド部である。図２に示した例では、スライドレール２５Ａおよびスライドレール２５Ｂは、第１の方向の一例である上下方向において離隔して配置され、上下方向と交差する第２の方向の一例である前後方向に沿う移動経路を構成する。
【００２８】
可動ユニット２０Ａおよび可動ユニット２０Ｂは、上述したスライドレール２５Ａおよび２５Ｂに沿って移動することにより、図２に示したセット位置と、図３に示した引き出し位置との間で往復することが可能である。自動取引装置１０の操作者は、図３に示した可動ユニット２０Ａまたは可動ユニット２０Ｂの引き出し位置において、収納カセット２２の交換作業を行うことができる。
【００２９】
搬送路カセット２３は、内部に搬送路２１−３（第３の搬送路）を有し、搬送路２１−３は、搬送路２１−１と搬送路２１−２とを接続する。この搬送路カセット２３の搬送路２１−３を介して、可動ユニット２０Ｂの収納カセット２２への紙幣搬送、および可動ユニット２０Ｂの収納カセット２２からの紙幣搬送が実現される。以下、図４および図５を参照して紙幣搬送の具体例を説明する。
【００３０】
図４は、出金動作を示す説明図である。可動ユニット２０Ｂの収納カセット２２に収納された紙幣が出金される際には、図４に示したように、収納カセット２２から繰り出された紙幣が、搬送路カセット２３の搬送路２１−３を介して紙幣処理部１２に搬送され、入出金部１６に収容される。
【００３１】
図５は、収納動作を示す説明図である。可動ユニット２０Ｂの収納カセット２２へ紙幣が収納される際には、図５に示したように、一時保留部１９から繰り出された紙幣が、搬送路カセット２３の搬送路２１−３を介して可動ユニット２０Ｂに搬送され、可動ユニット２０Ｂの収納カセット２２に搬送される。
【００３２】
（１−３．可動ユニットの詳細構成）
以上、紙幣収納部１３の構成を説明した。続いて、可動ユニット２０Ａおよび可動ユニット２０Ｂの構成を詳細に説明する。なお、上述したように可動ユニット２０Ａおよび可動ユニット２０Ｂは同一部品により構成され得るので、以下では、可動ユニット２０Ａおよび可動ユニット２０Ｂを特に区別せずに、可動ユニット２０Ａおよび可動ユニット２０Ｂを可動ユニット２０と総称して説明を進める。
【００３３】
図６は、可動ユニット２０の構成を示す外観斜視図である。図６に示したように、蓋体部２７は、全体として上下に薄い直方体状に構成されており、内部に搬送路２１が組み込まれている。また蓋体部２７には、収納カセット２２と対向する面（以下これをカセット対向面と呼ぶ）側に、各収納カセット２２との間で紙幣をそれぞれ受け渡す複数の受渡口２７ａが形成されている。
【００３４】
さらに蓋体部２７は、装填部２８に対し蝶番２９を介して回動可能に取り付けられている。すなわち蓋体部２７は、蝶番２９を中心に回動することにより、図２に示したようにカセット対向面を下方向に向け装填部２８の上側を閉塞する閉塞状態、又は図６に示したように閉塞状態から約９０度回動し、カセット対向面を左方向に向け装填部２８の上側を開放した開放状態に遷移することができる。
【００３５】
装填部２８は、内部に収納カセット２２を装填する。装填部２８は、複数の装填孔を有し、各装填孔に挿入された収納カセット２２を支持する。ここで、図７を参照して、装填部２８の構成をさらに説明する。
【００３６】
／／装填部の構成／／
図７は、装填部２８の構成を示す外観斜視図である。装填部２８は、図７に示したように、全体として左フレーム３１及び右フレーム３２の間に複数の仕切板３３を離散的に掛け渡すように配置しており、上方から見て長方形の枠状に形成されている。
【００３７】
左フレーム３１は、前後方向に長い中空の角柱状に形成されている。この左フレーム３１は、薄板状の金属板が折曲加工されることにより、中空の角柱状部分を形成すると共に、右側面の下方に伸びる延長部分を形成している。また左フレーム３１の上面には、他の部品等が何ら配置されていない。
【００３８】
右フレーム３２は、薄板状の金属板が折曲加工されることにより、左フレーム３１と同様の中空の角柱状部分を形成する。この右フレーム３２の上方に突出するように右保護板３４が形成される。
【００３９】
仕切板３３は、薄い板状に形成されており、左上部分が斜めに切り落とされると共に、右下部分が台形状に切り落とされたような形状となっている。また仕切板３３は、上辺が右保護板３４の上端と同等の高さに揃えられており、左辺の上端が左フレーム３１の上面と同等の高さとなっている。すなわち仕切板３３の上側部分は、右フレーム３２の上面よりも上方に位置している。
【００４０】
この仕切板３３は、左フレーム３１及び右フレーム３２の間に、所定間隔毎に配置されることにより、装填孔２８Ｓが形成されている。ただし仕切板３３のうち最も前側の２枚の間隔は、他の箇所の間隔よりも短くなっている。最も前側の装填孔２８Ｓは、他の装填孔２８Ｓよりも狭くなっている。
【００４１】
装填部２８Ａにおいては、最も前側の装填孔２８Ｓに搬送路カセット２３が装填され、他の４つの装填孔２８Ｓに収納カセット２２が装填される。換言すれば、この装填孔２８Ｓは、収納カセット２２又は搬送路カセット２３を装填するためのスロットとなっている。
【００４２】
以下では、１箇所の装填孔２８Ｓを含む仕切板３３で仕切られる範囲を個別装填範囲２８Ｎと呼び、この個別装填範囲２８Ｎについて説明する。
【００４３】
個別装填範囲２８Ｎにおける右フレーム３２の上面には、２個の保護体３６、装填部側コネクタ３７及び位置決めピン３８が設けられている。保護体３６は、直方体状に形成されており、左右方向の長さが右フレーム３２と同程度であり、且つ上下方向の長さが右保護板３４の高さと同程度となっている。また各保護体３６は、個別装填範囲２８Ｎを形成する２つの仕切板３３にそれぞれ隣接するように配置されている。
【００４４】
このため右フレーム３２の上面においては、２個の保護体３６により挟まれた空間（以下これを右フレーム上部空間３２Ｕと呼ぶ）における前後方向の長さが、装填孔２８Ｓにおける前後方向の長さよりも短くなっている。また保護体３６は、その左側面、すなわち装填孔２８Ｓ側の側面が、右フレーム３２の右側面に合わせて配置されており、当該右フレーム３２と共に連続した平面を形成している。これを他の観点から見ると、個別装填範囲２８Ｎでは、装填孔２８Ｓを囲む前後左右の各部材うち、左側のみが相対的に低くなっており、他の各方向が相対的に高くなっている。
【００４５】
装填部側コネクタ３７は、比較的小さな直方体状に形成されており、その上面が右保護板３４、保護体３６及び仕切板３３の上端よりも十分に低い位置にある。この装填部側コネクタ３７には、電力を供給し、また各種電気信号を伝達するための複数の接続端子（図示せず）が設けられている。また装填部側コネクタ３７は、前後方向に関し、右フレーム上部空間３２Ｕのほぼ中央に位置している。
【００４６】
また装填部側コネクタ３７は、図示しない配線材により自動取引装置１０の筐体と電気的に接続されている。この配線材は、右フレーム３２内に配置されることにより、装填部２８が引き出された際に外部に露出しないようになっている。これにより装填部２８は、保守作業員等が誤って収納カセット２２や工具等を配線材に引っ掛けることや、断線させること等を未然に回避できる。
【００４７】
位置決めピン３８は、中心軸が上下方向に沿う細長い円柱状に形成されており、その上端が円錐状に形成されている。この位置決めピン３８の上端は、右保護板３４の上端よりも低く、且つ装填部側コネクタ３７の上面よりも高くなっている。また位置決めピン３８は、装填部側コネクタ３７の近傍に、より具体的には装填部側コネクタ３７から所定の距離だけ離間した位置に形成される。
【００４８】
一方、左フレーム３１の右側面には、装填孔２８Ｓ内へ向けて突出した位置決め突起（図示せず。）が設けられている。位置決め突起は、中心軸を左右方向に向けた円柱状に形成されている。この位置決め突起における前後方向の位置は、右フレーム３２の上面に設けられた位置決めピン３８とほぼ同位相に、すなわち個別装填範囲２８Ｎ内における同等の位置に揃えられている。
【００４９】
／／収納カセットの構成／／
続いて、収納カセット２２の構成を説明する。図８は、収納カセット２２の外観斜視図であり、図９は、各方向から見た収納カセット２２の構成を示す外観図である。
【００５０】
収納カセット２２の筐体４１は、全体として、上下方向に長く前後方向に比較的短い直方体状に形成されている。この筐体４１における前後方向の長さは、装填部２８における装填孔２８Ｓ（図７）よりも僅かに短く、且つ保護体３６同士の間隔よりも長くなっている。また筐体４１における左右方向の長さは、装填孔２８Ｓの左右方向の長さよりも僅かに短くなっている。
【００５１】
筐体４１の上面における前寄りの位置には、左右方向を長手方向とする細長いスリット状の挿通孔４２が形成されている。挿通孔４２は、紙幣の長手方向を左右に向け、且つ紙面を前後に向けた状態で、当該紙幣を上下方向へ装填させ、筐体４１の内外間で移動させる。因みに挿通孔４２は、蓋体部２７が閉塞状態（図２）であるときに、受渡口２７ａと前後方向及び左右方向の位置が合い、当該受渡口２７ａおよび挿通孔４２を紙幣が通過する。
【００５２】
筐体４１の内部には、紙幣を集積して収納する収納空間が形成されると共に、当該紙幣を挿通孔４２と収納空間との間で搬送するための搬送機構等が設けられている。この搬送機構は、動力源となるアクチュエータにより回転力を発生し、所定のギア等を介してこの回転力をローラに伝達し、当該ローラから紙幣に駆動力を伝達することで、紙幣を搬送するようになっている。また筐体４１の内部には、紙幣の集積状態や搬送状態等を検出するためのセンサが設けられている。
【００５３】
筐体４１の上面近傍における後端及び左右両端の後半部分には、外周に沿うように窪みが形成されており、この窪みにはまるようにして取手４３が取り付けられている。取手４３は、左右方向に沿った把持部と、当該把持部の左右両端から前方へ垂設された腕部とにより構成されている。また取手４３は、腕部の前端において、筐体４１の上面近傍に対し、所定の回動軸を介して回動可能に取り付けられている。
【００５４】
このため取手４３は、作業者等によって回動されることにより、図８に実線で示したように腕部がほぼ水平に倒され筐体４１からの突出量が最小限に抑えられた収納状態と、図８に破線で示したように腕部がほぼ鉛直に立てられた起立状態との間で、自在に遷移することができる。
【００５５】
筐体４１の左右両側面における上端近傍には、左右の外方へ突出した左突出部４５及び右突出部４６がそれぞれ設けられている。左突出部４５は、前後方向に比較的長く、左右方向に比較的短い直方体状に形成されている。また左突出部４５の前面は、筐体４１の前面よりも後側に位置している。さらに左突出部４５の後面は、筐体４１の後面よりも前側に位置している。すなわち左突出部４５における前後方向の長さは、筐体４１における前後方向の長さよりも短くなっている。また右突出部４６は、左突出部４５とほぼ左右対称に形成されている。
【００５６】
筐体４１の左側面における左突出部４５よりも下側には、上下方向に沿った案内溝４７が形成されている。また図９の平面図に示したように、案内溝４７における前後方向の位置は、挿通孔４２とほぼ同位相に揃えられている。
【００５７】
さらに右突出部４６内には、カセット側コネクタ５１及び位置決め孔５２が設けられている。カセット側コネクタ５１は、装填部２８の装填部側コネクタ３７と対応する形状に構成されており、上述したアクチュエータを駆動するための電力や、上述したセンサによる検出結果を表す電気信号等を伝達するための、複数の接続端子（図示せず）が設けられている。またカセット側コネクタ５１は、右突出部４６における前後のほぼ中央に配置されており、カセット側コネクタ５１の下面は当該右突出部４６の下側に露出している。
【００５８】
位置決め孔５２は、右突出部４６内におけるカセット側コネクタ５１よりも前方に配置されており、当該右突出部４６の下面から上方へ向けて穿設された丸孔となっている。この位置決め孔５２における前後方向の位置は、挿通孔４２及び案内溝４７とほぼ同位相に揃えられている。
【００５９】
なお、搬送路カセット２３の外観構成は、収納カセット２２と比較して、前後方向の長さなどにおいて一部相違するものの、その他の点においては概ね同様に構成される。
【００６０】
（１−４．第１の実施形態の効果）
以上説明したように、紙幣収納部１３において収納カセット２２が２段で設けられることにより、収納カセット２２を１段で有する同一サイズの自動取引装置に比べて、取扱い可能な金種の数を増やすことが可能である。
【００６１】
また、本実施形態によれば、収納カセット２２の着脱を簡易に行うことが可能である。仮に、１つのスロットに収納カセット２２が上下に積層される場合、下側に位置する収納カセット２２の着脱は、上側に位置する収納カセット２２の着脱を伴ってしまう。これに対し、本実施形態において可動ユニット２０Ａおよび可動ユニット２０Ｂを別々に引き出すことが可能であるので、各収納カセット２２の着脱を、他の収納カセット２２の着脱を伴わずに実現することができる。すなわち、本実施形態によれば、収納カセット２２の着脱の煩雑性を緩和することが可能である。
【００６２】
さらに、本実施形態においては、スライドレール２５Ａ、蓋体部２７Ａおよび装填部２８Ａは、スライドレール２５Ｂ、蓋体部２７Ｂおよび装填部２８Ｂと各々同一の構造に形成される。すなわち、同一部品を可動ユニット２０Ａおよび可動ユニット２０Ｂに適用できるので、製造効率を向上することが可能である。
【００６３】
＜２．第２の実施形態＞
以上、本発明の第１の実施形態を説明した。続いて、本発明の第２の実施形態による自動取引装置１０１を説明する。第２の実施形態による自動取引装置１０１は、収納カセット２２が２段に配置される点で第１の実施形態と共通するが、下段の搬送路２１−２を有さない点で第１の実施形態と異なる。
【００６４】
（２−１．自動取引装置の構成）
図１０は、第２の実施形態による自動取引装置１０１の構成を示す説明図である。図１０に示したように、第２の実施形態による自動取引装置１０１は、紙幣処理部１２と、紙幣収納部１４と、を備える。紙幣処理部１２の構成は、第１の実施形態において説明した通りである。
【００６５】
第２の実施形態による紙幣収納部１４は、可動ユニット１２０Ａおよび可動ユニット１２０Ｂを有する。可動ユニット１２０Ａは紙幣収納部１４の上段に設けられ、可動ユニット１２０Ｂは紙幣収納部１４の下段に設けられる。
【００６６】
可動ユニット１２０Ａは、図１０に示したように、複数の収納カセット１２２と、スライドレール２５Ａと、蓋体部２７Ａと、装填部２８Ａと、を備える。スライドレール２５Ａ、蓋体部２７Ａおよび装填部２８Ａの構成は第１の実施形態において説明した通りである。
【００６７】
可動ユニット１２０Ｂは、図１０に示したように、複数の収納カセット２２と、スライドレール２５Ｂと、装填部２８Ｂと、を備える。可動ユニット１２０Ｂと第１の実施形態による可動ユニット２０Ｂとは、可動ユニット１２０Ｂが蓋体部２７Ｂを有さない点で相違する。
【００６８】
可動ユニット１２０Ａの収納カセット１２２は、紙幣の収納空間に加え、搬送路２１−４（第４の搬送路）を有する。収納カセット１２２は例えば上面および下面に入出口を有し、搬送路２１−４は２つの入出口の間に形成される。
【００６９】
可動ユニット１２０Ｂの収納カセット２２の入出口の位置は、図１０に示したように、収納カセット１２２の下面の入出口の位置に合わせられる。このため、搬送路２１−１と各収納カセット２２が、各収納カセット１２２が有する搬送路２１−４により接続される。結果、可動ユニット１２０Ｂの収納カセット２２への紙幣搬送、および可動ユニット１２０Ｂの収納カセット２２からの紙幣搬送が、収納カセット１２２が有する搬送路２１−４を介して実現される。
【００７０】
（２−２．収納カセットの構成）
以下、図１１を参照し、紙幣収納空間および搬送路２１−４を有する収納カセット１２２の構成をより具体的に説明する。
【００７１】
図１１は、収納カセット１２２および収納カセット２２の構成を示す説明図である。図１１に示したように、収納カセット１２２は、上側入出口８１、下側入出口８２、舌片ローラ８６、ピッカローラ８７、紙幣収納空間８９、ステージ９０、切替器９２および搬送路２１−４を有する。
【００７２】
舌片ローラ８６は、周方向の一部に半径方向に突出した羽根部を有する。舌片ローラ８６の回転時、ステージ９０に集積された紙幣が羽根部により叩かれ、圧迫される。
【００７３】
ピッカローラ８７は、ステージ９０に対向する位置に設けられる部材である。ピッカローラ８７は、出金動作時に、ステージ９０に集積された紙幣を分離する。具体的には、ピッカローラ８７は、外周の一部に繰出し部として機能するゴムを有し、ピッカローラ８７が回転すると繰出し部に紙幣が引っ掛かることにより、紙幣が分離される。
【００７４】
紙幣収納空間８９は、ステージ９０に紙幣が集積されるための空間である。ステージ９０は、紙幣を集積する。ステージ９０は、制御部からの制御に従って収納カセット１２２において昇降する。例えば、自動取引装置１０１の状態が待機状態である間、ステージ９０により紙幣がピッカローラ８７に押し当てられるように、ステージ９０の位置が制御部により制御される。
【００７５】
切替器９２は、制御部からの制御に従い、上側入出口８１を通って収納カセット１２２に搬送された紙幣の搬送方向を、紙幣収納空間８９側の方向と、下側入出口８２側（すなわち、収納カセット２２側）の方向とで切り替える。収納カセット１２２に収納されるべき紙幣は切替器９２による方向付けに基づき紙幣収納空間８９に搬送され、収納カセット２２に収納されるべき紙幣は切替器９２による方向付けに基づき下側入出口８２側に搬送される。
【００７６】
収納カセット２２は、図１１に示したように入出口６１と、舌片ローラ６６と、ピッカローラ６７と、紙幣集積空間６９と、ステージ７０と、備える。入出口６１、舌片ローラ６６、ピッカローラ６７、紙幣集積空間、およびステージ７０は、概ね上側入出口８１、舌片ローラ８６、ピッカローラ８７、紙幣収納空間８９およびステージ９０に各々対応するので、詳細な説明を省略する。
【００７７】
（２−３．第２の実施形態の効果）
以上説明したように、本発明の第２の実施形態によれば、第１の実施形態と同様に収納カセット１２２および収納カセット２２が２段で設けられるので、収納カセット２２を１段で有する同一サイズの自動取引装置に比べて、取扱い可能な金種の数を増やすことが可能である。
【００７８】
さらに、第２の実施形態によれば、下段の可動ユニット１２０Ｂが、搬送路２１−２を有する蓋体部２７Ｂを備えない。このため、第２の実施形態による自動取引装置１０１の高さ方向のサイズを、第１の実施形態による自動取引装置１０よりも低くすることが可能である。
【００７９】
なお、第２の実施形態においても、第１の実施形態と同様に、可動ユニット１２０Ａおよび可動ユニット１２０Ｂを別々に引き出すことが可能であるので、各収納カセット１２２および各収納カセット２２の着脱を、他の収納カセット１２２および収納カセット２２の着脱を伴わずに実現することができる。
【００８０】
＜３．第３の実施形態＞
以上、本発明の第２の実施形態を説明した。続いて、本発明の第３の実施形態を説明する。紙幣の種類によって紙幣の取扱量が異なるので、容量が異なる収納カセットを利用することが実情に沿う場合もある。そこで、以下では、高さ（容量）の異なる収納カセットが設けられる自動取引装置２０１を第３の実施形態として説明する。
【００８１】
図１２は、第３の実施形態による自動取引装置２０１の構成を示す説明図である。図１２に示したように、第３の実施形態による自動取引装置２０１は、紙幣処理部１２と、紙幣収納部１５と、を備える。紙幣処理部１２の構成は、第１の実施形態において説明した通りである。
【００８２】
第３の実施形態による紙幣収納部１５は、可動ユニット２２０および可動ユニット２２１を有する。可動ユニット２２０は紙幣収納部１５の上段に設けられ、可動ユニット２２１は紙幣収納部１５の下段に設けられる。
【００８３】
可動ユニット２２１は、図１２に示したように、複数の収納カセット２２と、スライドレール２２５と、蓋体部２２７と、装填部２２８と、を備える。可動ユニット２２１の構成は、前後方向の長さが異なる以外は、第１の実施形態で説明した可動ユニット２０Ｂと概ね同一の構成であるので、ここでの詳細な説明を省略する。
【００８４】
可動ユニット２２０は、複数の収納カセット２２と、スライドレール２５と、蓋体部２７と、装填部２８と、大型収納カセット２２２を備える。図１２に示したように、第３の実施形態による可動ユニット２２０の装填部２８は、可動ユニット２２０および可動ユニット２２１がセット位置にある状態において、可動ユニット２２１に対して前後方向上で突出する部分を有する。そして、装填部２８は、当該突出する部分において、大型収納カセット２２２を支持する。大型収納カセット２２２は、収納カセット２２よりも高さのあるカセットである。例えば、大型収納カセット２２２は、大型収納カセット２２２の下面が可動ユニット２２１の収納カセット２２の下面と揃えられる高さを有してもよい。
【００８５】
かかる構成においては、金種ごとの取扱量に応じて各金種を収納カセット２２または大型収納カセット２２２に適切に割り当てることが可能となる。なお、取扱量の多い紙幣の金種を２つの収納カセット２２に割当てることも可能であるが、２つの収納カセット２２が収納可能な紙幣の総量よりも、大型収納カセット２２２が収納可能な紙幣の量の方が多くなり得る。例えば、大型収納カセット２２２が、大型収納カセット２２２の下面が可動ユニット２２１の収納カセット２２の下面と揃えられる高さを有する場合、収納カセット２２の２倍の容量に加え、少なくとも、蓋体部２７の厚みに相当する容量を有する。従って、第３の実施形態によれば、自動取引装置２０１が取扱い可能な金種の数、および自動取引装置２０１の収納容量を増加させることが可能である。
【００８６】
＜４．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８７】
例えば、上記の実施形態では、収納カセットが２段で設けられる例を説明したが、本発明はかかる例に限定されない。例えば、収納カセットは３段以上で設けられてもよい。かかる構成によれば、自動取引装置が取扱い可能な金種の数をさらに増やすことが可能である。
【００８８】
また、上記の実施形態では、スライドレール２５Ａおよびスライドレール２５Ｂが、第１の方向の一例である上下方向において離隔して配置され、上下方向と交差する第２の方向の一例である前後方向に沿う移動経路を構成する例を説明したが、第１の方向および第２の方向はかかる例に限定されない。変形例として、スライドレール２５Ａおよびスライドレール２５Ｂは左右方向または前後方向に離隔して配置されてもよい。すなわち、２の可動ユニットが水平方向に並べられてもよい。スライドレール２５Ａおよびスライドレール２５Ｂが左右方向に離隔して配置される場合、スライドレール２５Ａおよびスライドレール２５Ｂは前後方向に沿う移動経路を構成し、スライドレール２５Ａおよびスライドレール２５Ｂが前後方向に離隔して配置される場合、スライドレール２５Ａおよびスライドレール２５Ｂは左右方向に沿う移動経路を構成してもよい。
【符号の説明】
【００８９】
１０  自動取引装置
１１  偽券収納庫
１２  紙幣処理部
１３、１４、１５  紙幣収納部
１６  入出金部
１８  鑑別部
１９  一時保留部
２０  可動ユニット
２１−１  搬送路
２１−２  搬送路
２１−３  搬送路
２１−４  搬送路
２２  収納カセット
２３  搬送路カセット
２５  スライドレール
２７  蓋体部
２８  装填部
２８Ｓ  装填孔
２９  蝶番
３１  左フレーム
３２  右フレーム
３３  仕切板
３４  右保護板
３６  保護体
３７  装填部側コネクタ
３８  ピン
４２  挿通孔
４３  取手
４５  左突出部
４６  右突出部
４７  案内溝
５１  カセット側コネクタ
５２  孔
６１  入出口
６６  舌片ローラ
６７  ピッカローラ
６９  紙幣集積空間
７０  ステージ
８１  上側入出口
８２  下側入出口
８６  舌片ローラ
８７  ピッカローラ
８９  紙幣収納空間
９０  ステージ
９２  切替器
１０１  自動取引装置
１２０  可動ユニット
１２２  収納カセット
２０１  自動取引装置
２２０  可動ユニット
２２１  可動ユニット
２２２  大型収納カセット
【図１】
2018092433.tif 000003
【図２】
2018092433.tif 000004
【図３】
2018092433.tif 000005
【図４】
2018092433.tif 000006
【図５】
2018092433.tif 000007
【図６】
2018092433.tif 000008
【図７】
2018092433.tif 000009
【図８】
2018092433.tif 000010
【図９】
2018092433.tif 000011
【図１０】
2018092433.tif 000012
【図１１】
2018092433.tif 000013
【図１２】
2018092433.tif 000014